(57)【要約】【課題】酸素チューブの捻れの影響を解消し、あるいは抑制することが可能な人工鼻を提供する。【解決手段】気管切開チューブに取り付けられる本体としてのハウジング２と、酸素チューブが接続される酸素ポート６とを有する人工鼻１において、酸素ポート６には、ハウジング２と一体的な中空筒状のステム６と、ステム６に対して軸線ＡＸの回りに相対回転可能な接続保持体としてのコネクタ８とを設け、コネクタ８に酸素チューブを接続する。【選択図】図２
2018000719.tif 000002
【特許請求の範囲】
【請求項１】
気管切開チューブと組み合わせて使用可能な人工鼻であって、
前記気管切開チューブに取り付けられる本体と、酸素チューブが接続される酸素ポートとを有し、前記酸素ポートには、前記本体に対して前記酸素チューブの接続端部における軸線の回りに相対回転可能な接続保持体が設けられている人工鼻。
【請求項２】
前記酸素ポートには、前記本体と一体的に形成される中空筒状の基部が設けられ、前記接続保持体は前記基部に対して前記軸線の回りに相対回転可能に嵌め合わされている請求項１に記載の人工鼻。
【請求項３】
前記接続保持体が前記基部に対して取り外し可能である請求項２に記載の人工鼻。
【請求項４】
前記接続保持体が中空円筒状に形成され、前記接続保持体の外径は前記酸素ポートの先端側に向かうほど漸次減少している請求項１〜３のいずれか一項に記載の人工鼻。
【発明の詳細な説明】
【技術分野】
【０００１】
本発明は、気管切開チューブと組み合わせて使用することが可能な人工鼻に関する。
【背景技術】
【０００２】
気管挿管や気管切開が施された患者の吸気に湿度及び温度を付与する手段の一つとして、人工鼻が頻繁に用いられている。人工鼻は、気管切開チューブ等の患者への挿入部品と組み合わせて使用される。人工鼻には酸素チューブが接続される。酸素チューブの接続部分は、人工鼻の本体から管状に突出したポートとして本体と一体的に形成されることが一般的であるが、人工鼻に対する酸素チューブの向きを変えられるように、酸素チューブの軸線方向に対して直交する軸線の回りに旋回可能な状態でポートを取り付けた人工鼻も提案されている（例えば、特許文献１参照）。
【先行技術文献】
【特許文献】
【０００３】
【特許文献１】特表２００８−５２６３３８号公報（図８〜図１１）
【発明の概要】
【発明が解決しようとする課題】
【０００４】
上述した旋回型のポートを有する人工鼻では、酸素チューブの接続方向の変化に対応できても、酸素チューブの軸線の回りの捻りには対応することができない。すなわち、酸素チューブが捻れた場合、その捻れが人工鼻の本体に伝わって気管切開チューブが患者の気管内で動くおそれがある。酸素チューブの柔軟性を高めれば、捻りの影響が人工鼻に与える影響を相応に抑制できるが、その場合には、比較的硬い酸素チューブが利用できず、専用品の酸素チューブを用意しなければならないといった不都合が生じる。
【０００５】
そこで、本発明は酸素チューブの捻れの影響を解消し、あるいは抑制することが可能な人工鼻を提供することを目的とする。
【課題を解決するための手段】
【０００６】
本発明の一態様に係る人工鼻（１）は、気管切開チューブ（１０）と組み合わせて使用可能な人工鼻であって、前記気管切開チューブに取り付けられる本体（２）と、酸素チューブ（１４）が接続される酸素ポート（６）とを有し、前記酸素ポートには、前記本体に対して前記酸素チューブの接続端部における軸線（ＡＸ）の回りに相対回転可能な接続保持体（８）が設けられたものである。
【０００７】
上記態様の人工鼻によれば、酸素チューブに捻れが生じた場合には、その捻れに伴って接続保持体が本体に対して回転する。そのため、本体に対して捻れが伝わらないか、伝わってもその影響は僅かである。したがって、酸素チューブが捻れても気管切開チューブにはその影響が及ばないか、又は実質的に問題が生じない程度に影響を抑制することができる。捻りの影響を解消し、又は抑制することにより、結果として酸素チューブの柔軟性に関する制約が緩和されるので、材質に留意することなく適宜の酸素チューブを使用することが可能となり、酸素チューブの選択範囲が拡大する。
【０００８】
上記態様の人工鼻において、前記酸素ポートには、前記本体と一体的に形成される中空筒状の基部（７）が設けられ、前記接続保持体は前記基部に対して前記軸線の回りに相対回転可能に嵌め合わされてもよい。これによれば、基部に対して接続保持体を嵌め合わせる簡素な構成により、酸素チューブの捻れの影響を解消し、又は抑制した人工鼻を提供することができる。
【０００９】
さらに、前記接続保持体が前記基部に対して取り外し可能であってもよい。これによれば、接続保持体を人工鼻の本体とは別部品として成形して組み合わせることにより、酸素チューブの捻れの影響を解消し、又は抑制した人工鼻を提供することができる。内径や外径が異なる複数種類の接続保持体を用意し、それらの接続保持体を適宜に選択して基部に装着することにより、内径や外径が異なる各種の酸素チューブを人工鼻に接続することができる。
【００１０】
上記態様の人工鼻においては、前記接続保持体が中空円筒状に形成され、前記接続保持体の外径は前記酸素ポートの先端側に向かうほど漸次減少していてもよい。これによれば、接続保持体の外周に先細りのテーパが付されるため、その接続保持体の外周に嵌め合わされるべき酸素チューブの内径が幾らかばらついても支障なく酸素チューブを接続することができる。
【００１１】
なお、以上の説明では本発明の理解を容易にするために添付図面の参照符号を括弧書きにて付記したが、それにより本発明が図示の形態に限定されるものではない。
【図面の簡単な説明】
【００１２】
【図１】本発明の一形態に係る人工鼻の斜視図。
【図２】本発明の一形態に係る人工鼻の正面図。
【図３】本発明の一形態に係る人工鼻の平面図。
【図４】人工鼻を気管切開チューブに装着した状態を示す図。
【発明を実施するための形態】
【００１３】
図１〜図３は、本発明の一形態に係る人工鼻を示している。図示の人工鼻１は、本体の一例としてのハウジング２を備えている。ハウジング２は、概略円筒状の外観を呈する樹脂成形部品として形成されている。ハウジング２の下部中央には気管切開チューブに接続される患者側ポート３が形成され、ハウジング２の上部中央には、呼気の開放や外気の吸入のために適宜に開閉する吸引用スリット４が形成されている。ハウジング２内には左右一対の加湿エレメント５（図２）が収容されている。
【００１４】
ハウジング２の一端部には、酸素チューブと接続するための酸素ポート６が設けられている。酸素ポート６は、ハウジング２の側方に突出するようにしてハウジング２と一体的に形成された基部の一例としての中空円筒状のステム７（図２）と、そのステム７の外周側に同軸的に嵌め合わされる接続保持体の一例としてのコネクタ８とを備えている。コネクタ８も概ね中空円筒形状の樹脂成形部品であり、ステム７に対して軸線ＡＸの回りに相対回転可能な状態でステム７に嵌め合わされている。したがって、図１に矢印Ｒで示したように、コネクタ８はハウジング２に対しても軸線ＡＸの回りに相対回転可能である。ステム７の先端側には拡大部７ａが形成されている。拡大部７ａの外径はステム７の先端に向かうほど小さく設定されている。コネクタ８は拡大部７ａを乗り越えるように弾性変形してステム７に嵌め合わされる。それにより、コネクタ８はステム７に対して軸線ＡＸの方向に抜け止めされる。
【００１５】
コネクタ８の外径は、酸素ポート６の先端側（つまり、突出端側）に向かうほど漸次減少するように設定され、それにより、コネクタ８の外周には僅かな先細りのテーパが付されている。コネクタ８の外周にテーパを付すことにより、酸素チューブの内径がある程度ばらついていても、コネクタ８の外周に酸素チューブを嵌め合わせることができる。なお、ステム７の軸線ＡＸの方向は、ハウジング２の長手方向と一致する。
【００１６】
図４は人工鼻１を気管切開チューブ１０に取り付けた状態を示している。気管切開チューブ１０は、そのカニューレ１１を患者２０の気管２１内に挿入した状態で患者２０の切開部２２に固定されている。人工鼻１は、そのハウジング２の患者側ポート３が気管切開チューブ１０のヘッド１２に接続されることにより、気管切開チューブ１０に取り付けられる。取り付け状態において、人工鼻１の長手方向は患者２０の左右方向に概ね一致し、酸素ポート６はハウジング２から患者２０の左方に突出する。酸素ポート６のコネクタ８にはカップリング１３を介して酸素チューブ１４がその接続端部における軸線をステム７の軸線ＡＸと一致させるようにして接続されている。カップリング１３は酸素チューブ１４の接続端部に設けられ、酸素チューブ１４の一部として実質的に機能する。酸素チューブ１４は、ステム７に対してコネクタ８と一体的に回転可能である。したがって、酸素チューブ１４もまたハウジング２に対してコネクタ８とともに軸線ＡＸを中心として相対的に回転することができる。なお、酸素チューブ１４はコネクタ８の外周側に嵌め合わされるが、コネクタ８の内周側を利用して酸素チューブ１４がコネクタ８に嵌め合わされてもよい。
【００１７】
以上の人工鼻１によれば、酸素チューブ１４に軸線ＡＸの回りの捻れが生じた場合、コネクタ８がその捻れに伴って回転する。そのため、ハウジング２への捻れの伝達が阻止され、又は抑制される。したがって、ハウジング２が捻られて気管切開チューブ１０のカニューレ１１が気管２１内で動くおそれを解消し、又は抑制することができる。仮に、酸素ポート６からハウジング２へと捻れが直接に伝われば、図４に破線で示したようにカニューレ１１が動いて気管２１の内壁に接するといった状況が生じ得るが、上記の人工鼻１によればハウジング２に捻れが伝われないか、伝わったとしてもその動きは僅かな程度に抑えられる。そのため、酸素チューブ１４の捻れが気管切開チューブ１０に与える影響を排除し、又は十分に抑制することができる。酸素チューブ１４の捻りがハウジング２側には伝わり難いため、柔軟性に留意して酸素チューブ１４を選択する必要がなく、人工鼻１に接続する酸素チューブ１４の選択範囲を拡大することができる。
【００１８】
上記の人工鼻１では、酸素ポート６に接続されるべき酸素チューブ１４の内径又は外径に適合するようにコネクタ８の外径又は内径を適宜に設定することができる。そのため、ステム７に対して接続が不可能又は困難な内径又は外径を有する酸素チューブ１４でもコネクタ８に接続することが可能である。コネクタ８はステム７から取り外すことができるので、内径又は外径が異なる複数種類のコネクタ８を用意し、酸素ポート６に接続されるべき酸素チューブ１４に適したコネクタ８を選択してステム７に装着することも可能である。
【００１９】
本発明は上述した形態に限定されず、種々の変更又は変形が施された形態にて実施されてよい。例えば、酸素ポートは本体の側方に突出する例に限らず、人工鼻の本体の長手方向中央部から前方又は後方に突出するように設けられてもよい。酸素ポートが人工鼻の側方に突出する場合には、酸素チューブの捻りに伴って気管切開チューブが気管内で患者の前後に揺動するような動きを解消し、又は抑制することができる。酸素ポートが人工鼻の前方又は後方に突出する場合には、酸素チューブの捻りに伴って気管切開チューブが気管内で患者の左右に揺動するような動きを解消し、又は抑制することができる。酸素ポートの接続保持体は、酸素チューブの接続端部における軸線方向に加えて、その軸線方向と直交する方向の他の軸線の回りにも相対回転可能に設けられてもよい。
【符号の説明】
【００２０】
１  人工鼻
２  ハウジング（本体）
６  酸素ポート
７  ステム（基部）
８  コネクタ
１０  気管切開チューブ
１４  酸素チューブ
【図１】
2018000719.tif 000003
【図２】
2018000719.tif 000004
【図３】
2018000719.tif 000005
【図４】
2018000719.tif 000006